(57)【要約】【課題】  わき腹から下腹にかけての膨出を押さえると共にヒップの形を補整し、かつ容易に着脱できること。【解決手段】  臀部と股を覆う本体部（１０，３０）と、ウエスト位置には前記本体部上辺に沿って縫着された伸縮性を有するストレッチ帯（２０）とを備え、前記ストレッチ帯は、腹部においてクロスして前記本体部に縫着され、この腹部クロス部分の頂点から、ウエスト、背部にかけて徐々に高くなっており、着用時にそれぞれ左右のわき腹から下腹を結ぶ斜め方向に緊締力を生ぜしめるように形成する。【選択図】      図１
2015224395.tif 000002
【特許請求の範囲】
【請求項１】
上記目的を達成するため、本発明の体型補整衣類においては、臀部と股を覆う本体部と、ウエスト位置には前記本体部上辺に沿って縫着された伸縮性を有するストレッチ帯とを備え、前記ストレッチ帯は、腹部においてクロスして前記本体部に縫着されていることを特徴とする体型補整衣類。
【請求項２】
前記ストレッチ帯は、それぞれ左右のわき腹から下腹を結ぶ斜め方向に緊締力を有することを特徴とする請求項１に記載の体型補整衣類。
【請求項３】
前記本体部は、臀部両側面にパッド装着用のポケットを備えていることを特徴とする請求項１または２に記載の体型補整衣類。
【請求項４】
前記本体部は、前記ポケットの外側表面上、前記ストレッチ帯の延長方向に縫目を有していることを特徴とする請求項３に記載の体型補整衣類。
【請求項５】
前記縫目は、着用時に大腿骨大転子近傍を通り、臀部に向けて施されていることを特徴とする請求項４に記載の体型補整衣類。
【請求項６】
請求項３乃至５のいずれか一項に記載の体型補整衣類に装着されるパッドであって、該パッドはポケット有していることを特徴とするパッド。
【発明の詳細な説明】
【技術分野】
【０００１】
本発明は、腹部の膨出を押さえヒップの形を補整し、フィット感のある下着等の衣類であって、特に高齢者でも容易に着脱することのできる体型補整衣類およびこれに装着されるパッドに関する。
【背景技術】
【０００２】
一般に、体型補整衣類は、体型補整を施す部分あるいはその周辺に緊締帯を配置し、圧迫することにより体型を補整する。
【０００３】
たとえば、特許文献１には、腹部布をストレッチ性帯状体で左右（水平方向）に引っ張ることにより、腹部を圧迫して腹部の膨出を押さえる被服が記載されている。また、特許文献２には、腹部布を水平方向に引っ張る主帯状部位と主帯状部位による垂直方向の緊締力の減少を補整する補助帯状部位を設けることにより矯正機能を向上させた体型補整衣類が記載されている。
【先行技術文献】
【特許文献】
【０００４】
【特許文献１】特許第３２０７０９９号公報
【特許文献２】特許第４７８９６８４号公報
【発明の概要】
【発明が解決しようとする課題】
【０００５】
しかしながら、上述の従来技術による体型補整衣類は、水平方向の強い緊締力に抗して衣類のウエストの間口（胴回り）を一旦広げて着脱しなければならないため、高齢者にとっては着脱が容易でなく時間が掛かるという問題があった。
本発明はかかる従来の事情に対処してなされたものであり、特にわき腹から下腹にかけての膨出を押さえると共にヒップの形を補整し、かつ容易に着脱することのできる体型補整衣類およびこれに装着されるパッドを提供することを目的とする。
【課題を解決するための手段】
【０００６】
上記目的を達成するため、本発明の体型補整衣類においては、臀部と股を覆う本体部と、ウエスト位置には前記本体部上辺に沿って縫着された伸縮性を有するストレッチ帯とを備え、前記ストレッチ帯は、腹部においてクロスして前記本体部に縫着されていることを特徴とする。このクロス構造により、間口が大きくなり着脱が容易になる。なお、当該クロス構造は、ストレッチ帯と本体部が重なる（あるいは接する）部分について縫着し、ストレッチ帯のみが重なる部分については縫着しない範囲を設けることを特徴とする。これにより、ストレッチ帯は、それぞれ左右のわき腹から下腹を結ぶ斜め方向に効果的に緊締力を生ずる。
ここで、本体部やストレッチ帯は、それぞれ１枚の生地で製造される場合の他、複数の生地で製造されている場合も含まれる。
【０００７】
本発明による体型補整衣類は、着用時に、ストレッチ帯の腹部クロス部分の頂点位置よりもウエストのわき腹位置の方が高くなっている。またストレッチ帯の背中位置はわき腹位置よりも高くなっている。つまり、当該体型補整衣類は腹部クロス部分から背中にかけて徐々に高くなっているので、背中からわき腹にかけて安定的にフィットし、着用した衣類がずり落ちることなく、わき腹から腹部（特に下腹）にかけて効果的に緊締力を生む。したがって、ストレッチ帯に強い伸縮力を有する素材を用いなくても体型補整効果を得ることができる。
【０００８】
さらに本発明に係る体型補整衣類の本体部は、臀部両側面にパッド装着用のポケットを備え、該ポケットの外側表面には、前記ストレッチ帯の延長方向に縫目を有していることを特徴とする。この縫目は、着用時に大転子近傍を通り、臀部側面に向けて施するのが好ましい。これにより、ストレッチ帯の引張力が縫目に伝わり、その結果パッドの密着力を高めることができる。なお、このパッドは、ウレタンフォーム（発泡ウレタン）等を用いた上側パッドと下側パッドとを接着し、必要により接合部を縫製して製造することができる。このとき、上側パッドと下側パッド間にポケットを設け、薄型カイロ等を挿入できるようにしてもよい。
【発明の効果】
【０００９】
以上の如く、本発明の体型補整衣類においては、わき腹から下腹にかけて斜め方向に緊締力を有するストレッチ帯により、この範囲の膨出を押さえることができる。またストレッチ帯の延長方向、本衣類表面の臀部側面位置に縫目を施すことにより、効果的にストレッチ帯の引張力が臀部側面に伝わるので、当該縫目の衣類内側に備えられたパッドが臀部側面に密着する。これにより、パットのずれを防止することができ、着用者はフィット感を得ることができる。
【図面の簡単な説明】
【００１０】
【図１】本発明の第１の実施の形態による体型補整衣類の斜視図である。
【図２】図１の正面図である。
【図３】図１の背面図である。
【図４】図１の左側面図である。
【図５】図１のストレッチ帯の引張力の方向・作用の説明図である。
【図６】本発明の第２の実施の形態による体型補整衣類の斜視図である。
【図７】図６の正面図である。
【図８】図６の背面図である。
【図９】図６の左側面図である。
【図１０】本発明の第２の実施の形態によるパッドの形状を示す図であり、図１０（ａ）は平面図、図１０（ｂ）は正面図である。
【図１１】図１０の他の実施例によるパッドの形状を示す図であり、図１１（ａ）は平面図、図１１（ｂ）は正面図である。
【発明を実施するための形態】
【００１１】
以下に本発明の第１の実施の形態による体型補整衣類について図面を参照しながら説明する。
図１は、本発明の一実施形態に係る体型補整衣類１を示した斜視図である。図２〜図４は、それぞれ図１に示した体型補整衣類の正面図、背面図、及び左側面図である。右側面図は左側面図と対象に表わされる。図１〜図４においては、着用状態における形状を示している。この体型補整衣類１は、例えば女性が着用する下着として実現することができる。
【００１２】
本実施の形態による体型補整衣類１は、着用者の臀部から股にかけて密着する本体部１０と、本体部１０の上辺および腹部側で縫着された伸縮性を有するストレッチ帯２０とを備えている。図１において編みがけで示した部分がストレッチ帯２０であり、網がけをしていない部分が本体部１０である。図２〜図４については、ストレッチ帯２０の網がけは省略している。
【００１３】
本実施の形態による体型補整衣類１は、特許文献１，２のように独立した腹部布を有さず、ウエスト部２３ａ，２３ｂから延在するストレッチ帯２０を腹部２２側でクロスして本体部１０と縫着されていることを特徴としている。
【００１４】
体型補整衣類１の本体部１０は、綿あるいは絹を主体とした生地を用いることができ、ストレッチ帯２０は伸縮性を有する素材たとえば綿メッシュ生地を用いることができる。
【００１５】
図３に示すように、本体部１０の左右は、臀部を覆う部分が背中側の中央を通る縫着ラインＬによって互いに縫着されている。また、図１，図２に示すように本体部１０はその下側に股を覆う股部１２を備えている。
【００１６】
図２，図３において、着用者の向きに合わせて上下左右を定義すると、ストレッチ帯２０は、右端２１ａから順に腹部２２ａ、右ウエスト部２３ａ、背部２４、左ウエスト部２３ｂ、腹部２２ｂ、左端２１ｂを有しており、本体部の上辺Ｌ１に沿って縫着され、正面において腹部２２ａ，２２ｂがクロスしている（以下、これを「クロス構造」という。）。即ち、右ウエスト部２３ａから腹部２２ａを通って繋がるストレッチ帯右端２１ａは、縫着ラインＬ１ａ（縫着ラインＬ１の一部）によって本体部１０の左端１０ｂに縫着されており、左ウエスト部２３ｂから腹部２２ｂを通って繋がる、ストレッチ帯左端２１ｂは、縫着ラインＬ１ｂ（縫着ラインＬ１の一部）によって本体部１０の右端１０ａに縫着されている。なお、図１，図２においてストレッチ帯２０の腹部２２ａと右端２１ａは、腹部２２ｂ，左端２１ｂの内側に重なった状態になっている。
【００１７】
また、ストレッチ帯２０のウエスト部２３ａ，２３ｂは、着用者のウエストに密着するように、若干内側傾斜をもって本体部１０に縫着されている。ストレッチ帯２０は着用時に骨盤の上端、腸骨稜上を通る高さにすると固定感が得られるので好ましい。
【００１８】
図示するように、このようにストレッチ帯のウエスト部２３ａ，２３ｂの高さ位置は、それぞれストレッチ帯の右端２１ａ，左端２１ｂの頂点２５ａ，２５ｂの位置よりも高くなっているので、ストレッチ帯２０のクロス（重なり）部分の頂点Ａ近傍は緩やかなＶ字を形成する（以下、これを「Ｖ字構造」という。）。なお、頂点Ａは着用者の臍付近に来るようにウエスト部２３ａ、２３ｂから角度を決めるのが好ましいが、この角度は着用者の好みにより例えば臍が隠れるくらいにするなど必要により変更してもよい。
【００１９】
ちなみに、クロス部分２２ａ，２２ｂの重なりラインＬ３ａ，Ｌ３ｂは縫着されていない。このため、ストレッチ帯２０は、図５に示すように右端２１ａから右ウエスト部２３ａの方向に引張力Ｆａ、また左端２１ｂから左ウエスト部２３ｂの方向に引張力Ｆｂが効果的に発生する。また、逆に右ウエスト部２３ａから右端２１ａの方向に引張力Ｆａ’、左ウエスト部２３ｂから左端２１ｂの方向に引張力Ｆｂ’が発生する。
【００２０】
すなわち、本発明の特徴のであるストレッチ帯２０の腹部のＶ字クロス構造による斜めの引張力Ｆａ，Ｆｂとこれに対抗する引張力Ｆａ’，Ｆｂ’が、わき腹から下腹にかけての緊締力を生み、体型補整効果を奏するのである。
【００２１】
ストレッチ帯２０の着圧として、例えば腹部クロス部分２２は６〜７ｈＰａ，腸骨稜点８０ａ，８０ｂは１２ｈＰａ程度を標準にして着用者に合わせて調整されるのが好ましい。
【００２２】
次に、本実施の形態による体型補整衣類１の着脱時の作用について説明する。
体型補整衣類１の着衣時は、ユーザはストレッチ帯２０の間口を広げて穿き、当該体型補整衣類１のウエスト部２３ａ，２３ｂあるいは背部２４を上方に持ち上げることによって間口が狭まり身体にフィットした状態で着用することができる。
【００２３】
ストレッチ帯２０は、本体部１０よりも高い伸縮性を有しているので、着用時の収縮力の作用により、上述したように着用者はわき腹から下腹にかけて緊締感を得ることができる。特に、着用した状態で背筋を伸ばすようにすることで、わき腹から下腹にかけての緊締力をより高めることができる。
【００２４】
体型補整衣類１の脱衣時は、ストレッチ帯２０のウエスト部２３ａ，２３ｂや背部２４を下げれば間口が広がるので脱衣が容易になる。
【００２５】
以上説明したように、本実施の形態によるストレッチ帯のＶ字クロス構造は、わき腹から下腹にかけて効果的に緊締力を生み、この緊締力は、従来のように腹部布を設けて各端を左右あるいは上下方向に引っ張る場合と比較して直接わき腹と下腹の両方に作用するので、従来よりも効果的に体型を補整することができる。
【００２６】
また、このＶ字クロス構造によるわき腹から下腹にかけての緊締力は、その延長方向である本体部の臀部方向に伝わるので、ヒップアップ効果も期待できる。さらに、このクロス構造により、腹部は多重になるため、当該部分の保温効果も向上する。
【００２７】
また、本体型補整衣類のストレッチ帯２０の間口は容易に広げることができるので、高齢者や体の不自由な人でも楽に着用することができる。
【００２８】
次に本発明の第２の実施の形態による体型補整衣類について図面を参照しながら説明する。
本実施の形態による体型補整衣類２は、体型補整用のパッド３ａ，３ｂを装着可能にしたものである。
【００２９】
図６は、本発明の一実施形態に係る体型補整衣類を示した斜視図である。図７〜図９は、図６に示した体型補整衣類の正面図、背面図、及び左側面図である。右側面図は左側面図に対象に表わされる。図６〜図９において、着用状態における形状を示している。
【００３０】
図１との主な違いは、本体部３０は両側面の内側にパッドを装着できるポケット３１ａ，３１ｂを設けたことである。ストレッチ帯２０については第１の実施の形態と同様であるので説明を省略する。
【００３１】
本実施の形態のパッド３ａ，３ｂは、着用時に大転子から臀部側面まで覆うようになっていてポケット３１ａ，３１ｂもその形状に合わせて衣類裏側で縫合されている。パッド３ａ，３ｂは、それぞれポケット口３２ａ，３２ｂからポケット３１ａ，３１ｂに挿入される。
【００３２】
図１０に右側ポケット３１ａ挿入用のパッド３ａの平面図と正面図を示す。下側（人体側）パッド８２ａと上側パッド８１ａとを熱圧で接着し、その境界に縫製部８３ａを設けたものである。左側ポケット３１ｂ挿入用のパッド３ｂは、パッド３ａとは対称に製造される。このパッド３ａ，３ｂは、内部にポリエチレン，スチレン系エラストマー，合成ゴム等を用いた衝撃吸収材（図示せず）を含み外部をウレタンフォーム（発泡ウレタン），不織布やニットの混合などの柔らかい素材で覆って製作することができる。衝撃吸収材は大転子位置（Ｂ）を含む一定範囲に配置される。パッド３ａ，３ｂは例えば臀部の補整の程度など、着用者に合った形や厚さで形成される。パッド３ａ，３ｂの人体側（Ｃ）は多少窪ませるのが好ましい。これにより大転子が直に衝撃吸収材に触れるのに比べ、衝撃力を分散でき、その結果パッドの厚さを薄くすることができる。
【００３３】
体型補整衣類２の本体部３０は、ストレッチ帯２０の延長方向、大転子位置から臀部側面にかけてその表面にライン状の縫目３３ａ，３３ｂが施されている。即ち、パッド３ａ，３ｂを挿入したときにパッド上にこの縫目３３ａ，３３ｂが来るようになっている。これにより、図７に示す引張力Ｆａ，Ｆｂがそれぞれ縫目３３ａ，３３ｂに伝わり、その結果、本体部３０の大転子位置から臀部側面にかけての緊締力が上がり、本衣類着用時のパッドの密着力を高めることができる。特に本体部３０にある程度伸縮性のある生地を用いた場合、引張力Ｆａ，Ｆｂがこのライン状の縫目に集中するためその効果は大きくなる。なお、縫目を施す代わりに、別の低伸縮性素材を縫着あるいは接着するなど他の緊締力を高める手段を用いるようにしても良い。これにより、わき腹から下腹部の適度な圧迫による体型補整機能と、パッドによる臀部の体型補整機能が組み合わされ、体型補整効果を向上させることができる。
【００３４】
以上、本実施の形態によれば、第１の実施の形態の効果に加え、着用者の転倒による骨折を防止すると共に、臀部側面にボリュームを与えることによって美尻効果を得ることができる。
【００３５】
なお本発明は上述した各実施の形態に限定されず、その要旨を逸脱しない範囲で種々変形して実施をすることができる。例えば、パッドは、臀部両側面のみにしても体型補整機能としては十分に機能することができる。このとき、着用者のニーズや体型に合わせて、その形状や素材を変えて製造されたパッドを用いるようにしてもよい。
ストレッチ帯２０は、本体部１０，３０への縫着のほか、本体部１０，３０への貼り付け、あるいは本体部１０，３０に接ぎ合わせて形成してもよい。また本体部１０，３０、およびストレッチ帯２０は複数の生地を縫着して形成することもできる。
また、ストレッチ帯２０の上辺を折り曲げて、多重にして縫着することにより、緊締力をアップさせることもできる。
【００３６】
また、例えば図１１に示すように体型補整衣類２の右側ポケット３１ａに装着するパッド３ａは、臀部に対応する位置にポケット８４ａを設けて、ポケット口８５ａから内部に薄型カイロなどを挿入できるようにしても良い。左側ポケット３１ｂに装着するパッド３ｂについても同様である。
【００３７】
また、体型補整衣類１，２において、ストレッチ帯２０の延長方向に設けられる縫目３３ａ，３３ｂは、それぞれ一本に限られず腰部や臀部に一定の緊締力を与えるように各複数本設けるようにしても良い。
なお、ストレッチ帯２０の上辺や本体部１０，３０の下辺にレースなどのファッション的な要素を設けることも勿論可能である。
【００３８】
上述した実施の形態は、スパッツやパンツの他、ガードル、タイツ、ストッキングといった各種の股付き衣類にも適用可能である。
【符号の説明】
【００３９】
１，２    体型補整衣類
３ａ，３ｂ    パッド
１０，３０    本体部
１０ａ    本体部の右端
１０ｂ    本体部の左端
１２    股部
２０    ストレッチ帯
２１ａ    ストレッチ帯の右端
２１ｂ    ストレッチ帯の左端
２２（２２ａ，２２ｂ）    クロス部分（腹部）
２３ａ    右ウエスト部
２３ｂ    左ウエスト部
２４    背部
２５ａ，２５ｂ    頂点
３１ａ  右側ポケット
３１ｂ    左側ポケット
３２ａ，３２ｂ    ポケット口
３３ａ，３３ｂ    縫目
８０ａ，８０ｂ    腸骨稜点
【図２】
2015224395.tif 000003
【図３】
2015224395.tif 000004
【図４】
2015224395.tif 000005
【図５】
2015224395.tif 000006
【図７】
2015224395.tif 000007
【図８】
2015224395.tif 000008
【図９】
2015224395.tif 000009
【図１０】
2015224395.tif 000010
【図１１】
2015224395.tif 000011
【図１】
2015224395.tif 000012
【図６】
2015224395.tif 000013